(57)【要約】【課題】主に、建物の制限斜線を越えることなく薄物材から厚物材への屋根の葺き直しなどができるようにする。【解決手段】少なくとも、屋根３を構成する屋根面材１３のケラバ１１となる縁部に沿って設けられた下地桟部材１７の上面を覆う上面カバー部３１と、下地桟部材１７の外側部を覆う外側カバー部３２と、屋根面材１３の上部に設置された屋根葺材１４における下地桟部材１７に近接する部分を上から覆う屋根葺材上部カバー３３Ａとを有するケラバカバー１２Ａに関する。  下地桟部材１７の上面の内側部分に制限斜線４２内に収まる高さの上方突出部４３を設けるようにする。  上面カバー部３１は、上方突出部４３を覆う段差形状部４４を有するものにする。  屋根葺材上部カバー３３Ａは、段差形状部４４の段下面４６より高く、段上面４７より低い位置に設けるようにする。【選択図】図４
2020051100.tif 000002
【特許請求の範囲】
【請求項１】
少なくとも、屋根を構成する屋根面材のケラバとなる縁部に沿って設けられた下地桟部材の上面を覆う上面カバー部と、前記下地桟部材の外側部を覆う側面カバー部と、前記屋根面材の上部に設置された屋根葺材における前記下地桟部材と近接する部分を上から覆う屋根葺材上部カバーとを有するケラバカバーにおいて、
前記下地桟部材の上面の内側部分には制限斜線内に収まる高さの上方突出部が設けられていると共に、
前記上面カバー部は、前記上方突出部を覆う段差形状部を有し、
前記屋根葺材上部カバーは、前記段差形状部の段下面より高く、段上面より低い位置に設けられていることを特徴とするケラバカバー。
【請求項２】
請求項１に記載のケラバカバーにおいて、
前記屋根は上側の棟と下側の棟とによって形成される棟違い部を備えており、
前記下側の棟には、山型の棟包み部材が取付けられており、
前記上側の棟から前記下側の棟へ向かうケラバに取付けられる前記上面カバー部は、前記段差形状部の前記段上面が山型の前記棟包み部材の一方の斜面部と面一に連なるように設けられ、
前記段差形状部の前記段下面は、山型の前記棟包み部材の他方の斜面部に対して前記下側の棟よりも低い位置に合流され、
前記段下面の、前記他方の斜面部との合流部分の近傍には、前記下側の棟よりも高い位置から前記下側の棟へ向けて、前記段下面の他の部分よりも緩い下り勾配の排水用スロープ部が設けられていることを特徴とするケラバカバー。
【請求項３】
請求項１または請求項２に記載のケラバカバーにおいて、
前記側面カバー部と、前記段差形状部の前記段下面とが、第一の部材によって構成され、
前記段差形状部の前記段上面と、前記屋根葺材上部カバーとが、第二の部材によって構成されていることを特徴とするケラバカバー。
【請求項４】
請求項２を引用する請求項３に記載のケラバカバーにおいて、
前記排水用スロープ部が、第三の部材によって構成されていることを特徴とするケラバカバー。
【発明の詳細な説明】
【技術分野】
【０００１】
この発明は、ケラバカバーに関するものである。
【背景技術】
【０００２】
建物の屋根には、勾配を有するもの（勾配屋根）がある。このような屋根では、水上側の縁部が棟となり、水下側の縁部が軒となり、棟と軒とをつなぐ斜めの縁部がケラバとなる。そして、棟樋には棟樋が取付けられ、ケラバにはケラバカバーが取付けられる（例えば、特許文献１参照）。
【先行技術文献】
【特許文献】
【０００３】
【特許文献１】特開２０１０−１０６４３６号公報
【発明の概要】
【発明が解決しようとする課題】
【０００４】
例えば、屋根に設置される屋根葺材を、（相対的に薄い）薄物材から（相対的に厚い）厚物材に葺き直しする場合、建物の制限斜線を越えないようにする必要があるが、制限斜線を越えないようにしつつ厚物材への葺き直しができるようなケラバカバーはこれまで特に存在していなかった。
【０００５】
そこで、本発明は、主に、上記した問題点を解決することを目的としている。
【課題を解決するための手段】
【０００６】
上記課題を解決するために、本発明は、
少なくとも、屋根を構成する屋根面材のケラバとなる縁部に沿って設けられた下地桟部材の上面を覆う上面カバー部と、前記下地桟部材の外側部を覆う側面カバー部と、前記屋根面材の上部に設置された屋根葺材における前記下地桟部材と近接する部分を上から覆う屋根葺材上部カバーとを有するケラバカバーにおいて、
前記下地桟部材の上面の内側部分には制限斜線内に収まる高さの上方突出部が設けられていると共に、
前記上面カバー部は、前記上方突出部を覆う段差形状部を有し、
前記屋根葺材上部カバーは、前記段差形状部の段下面より高く、段上面より低い位置に設けられていることを特徴とする。
【発明の効果】
【０００７】
本発明によれば、上記構成によって、建物の制限斜線を越えることなく薄物材から厚物材への屋根の葺き直しを行うことなどができる。
【図面の簡単な説明】
【０００８】
【図１】本実施の形態にかかるケラバカバーが適用される建物の斜視図である。
【図２】図１の建物の屋根の棟違い部に取付けられるケラバカバーの様子を示す斜視図である。
【図３】図１の建物の屋根の棟違い部のＡ−Ａ線に沿った断面図である。
【図３Ａ】図３のＢ−Ｂ線に沿った断面図である。
【図３Ｂ】図３のＣ−Ｃ線に沿った断面図である。
【図４】図３Ａの部分拡大図である（第一実施例）。
【図４Ａ】図４の比較例（既存の構造）を示す図である。
【図５】図４と同様の部分の他の例（第二実施例）を示す図である。
【図５Ａ】図５の比較例（既存の構造）を示す図である。
【図６】図４同様の部分の別の例（第三実施例）を示す図である。
【図６Ａ】図６の比較例（既存の構造）を示す図である。
【図７】第一部材の部品図である（部分拡大斜視図）。
【図８】第二部材の部品図である（図７とは異なる方向から見た部分拡大斜視図）。
【図９】第一部材と第二部材とを組み合わせる状態を示す斜視図である。
【図１０】第三部材の取付け状況を示す概略側面図である。
【図１１】棟違い部における組み立て後のケラバカバーの状態を示す斜視図である。
【発明を実施するための形態】
【０００９】
以下、本実施の形態を、図面を用いて詳細に説明する。
図１〜図１１は、この実施の形態を説明するためのものである。
【実施例１】
【００１０】
＜構成＞以下、構成について説明する。
図１は、住宅などの建物１を斜め上方から見た部分的な斜視図である。
【００１１】
この建物１は、建物本体２の上に屋根３を有している。建物本体２は、居室などとなる部分である。屋根３は、傾斜した複数の屋根部４〜６（勾配屋根）を有する山型の切妻屋根となっている。切妻屋根では、水上側の縁部が棟７，８となり、水下側の縁部が軒９となり、棟７，８と軒９とをつなぐ斜めの縁部がケラバ１１（螻蛄羽）となる。そして、軒９には棟樋が取付けられ、ケラバ１１には、ケラバカバー１２が取付けられる（図２、図３）。ケラバカバー１２は、ケラバ１１を覆って保護するための部材である。
【００１２】
そして、図３Ａに示すように、屋根３は、屋根面材１３（野地板）の上に屋根葺材１４を配置したものとなっている。屋根面材１３のケラバ１１側の縁部は、建物本体２の外壁１５（破風外壁）の位置よりも外側へ延ばされている（延長部１６）。延長部１６の上部には下地桟部材１７が取付けられる。延長部１６の下部には、垂木１８や破風化粧板１９やケラバ下化粧材２１などが取付けられる。図３Ｂに示すように、外壁１５の下端側には、下屋カバー水切２２や、壁下水切２３などが設置されている。
【００１３】
ここで、既存のケラバカバー１２Ｂについて説明すると、図４Ａ（図５Ａ、図６Ａ）に示すように、既存のケラバカバー１２Ｂは、少なくとも、屋根面材１３のケラバ１１となる縁部に沿って（屋根面材１３の上部または側部（図６Ａ）に）設けられた下地桟部材１７の上面を覆う上面カバー部３１と、下地桟部材１７の外側部を覆う外側カバー部３２と、屋根面材１３の上部に設置された屋根葺材１４における下地桟部材１７と近接する部分を上から覆う屋根葺材上部カバー３３とを有している。
【００１４】
既存のケラバカバー１２Ｂの場合、上面カバー部３１は、下地桟部材１７の上面の平坦形状に合わせた平坦面とされている。上面カバー部３１は、下地桟部材１７の上面に当接固定される。下地桟部材１７の上面は、屋根葺材１４の上部の位置よりも高くなっている。
【００１５】
外側カバー部３２は、下地桟部材１７の外側面にほぼ沿うように下方へ延びるものなどとされている。この実施の形態では、外側カバー部３２は、下地桟部材１７の外側面に対し、若干の隙間を有して離間されている。外側カバー部３２は、図４Ａに示すように、屋根面材１３の位置まで達しない長さのものとしても良いし、図５Ａに示すように、屋根面材１３の位置まで達するか、屋根面材１３の位置を越える長さのものとしても良い。これらの場合に、上面カバー部３１の外側の部分と外側カバー部３２の上部と間の部分には、外方へ突出する横張出部３２ａなどを設けても良い。外側カバー部３２の下縁部には、内側への折返部３２ｂ（内折部）を設けても良い。この折返部３２ｂは、斜め上方へ向かって折り返されることにより、水切部などとして機能するようになっている。
【００１６】
また、図６Ａに示すように、短く形成した外側カバー部３２の下側に、下地桟部材１７の外側面よりも外側へ向かって斜め下方へ延びる破風包み部３４や、この破風包み部３４の下側に接続された破風化粧部３５などを設けたものなども存在している。破風化粧部３５は、屋根面材１３の延長部１６の下方に設置された軒天井材３６を、下地桟部材１７の外側面下部に取付けるための軒天取付金具３７の下部になどに固定されている。破風化粧部３５の下端部には、側面視ほぼ逆Ｌ字状をした軒天井見切部材３８などを取付けても良い。この軒天井見切部材３８は、水切りとしても機能するようになっている。
【００１７】
屋根葺材上部カバー３３は、屋根葺材１４における下地桟部材１７の内側面と近接する端部周辺を上から覆うものである。屋根葺材上部カバー３３は、屋根面材１３とほぼ平行な面（ほぼ平坦な面）を有している。この場合、屋根葺材上部カバー３３の高さは、下地桟部材１７の上面よりも低くなっており、屋根葺材１４の上面の位置に合わせた高さに設定されている。そのために、屋根葺材上部カバー３３には、高さ設定用の縦面部３３ａが設けられている。縦面部３３ａは下地桟部材１７の内側面の上部にほぼ沿って延びるものとされる。
【００１８】
既存のケラバカバー１２Ｂが使われる屋根葺材１４は、標準的な厚みまたはそれ以下の厚みを有する既存の瓦材や屋根材などとなっている。以下、既存の瓦材や屋根材などを、相対的に厚みの薄い薄物材１４ｂという。
【００１９】
更に、下地桟部材１７の内側の位置には、下地桟部材１７の内側面に沿って屋根面材１３の上面に達するまで下方へ延びる内面カバー部３９ａや、内面カバー部３９ａの下縁部から屋根面材１３の上面に沿って屋根３の内方へ延びる屋根面カバー部３９ｂを有する捨水切３９などが設置される。捨水切３９の内面カバー部３９ａは、上端部が、屋根葺材上部カバー３３の縦面部３３ａの内側に重なるように設けられる。捨水切３９の屋根面カバー部３９ｂは、屋根葺材上部カバー３３とほぼ同じ長さにしても良いし、屋根葺材上部カバー３３より短くしても良いし、屋根葺材上部カバー３３より長くしても良い。
【００２０】
そして、上記構成に対し、この実施の形態では、ケラバカバー１２を、以下のようなもの（ケラバカバー１２Ａ）にする。
【００２１】
（１）図４（図５、図６）に示すように、下地桟部材１７の上面の内側部分には制限斜線４２内に収まる高さの上方突出部４３が設けられるようにする。
これに合わせて、上面カバー部３１を、上方突出部４３を覆う段差形状部４４を有するものにする。
そして、屋根葺材上部カバー３３Ａは、段差形状部４４の段下面４６より高く、段上面４７より低い位置に設けられるようにする。
【００２２】
ここで、この実施の形態のケラバカバー１２Ａは、屋根３の葺き替え時に、既存のケラバカバー１２Ｂに替えて使う交換用のものなどとされる。但し、この実施の形態のケラバカバー１２Ａは、新築時に直接用いることもできる。ケラバカバー１２Ａは、制限斜線４２が設定されるケラバ１１のみに対して設けることもできるし、全てのケラバ１１に対して設けることもできる。
【００２３】
制限斜線４２は、法律などによって規定された建物１の高さを制限するための仮想の線である。制限斜線４２は、隣地境界や道路境界からの距離に応じて徐々に高くなる斜線とされる。
【００２４】
既存の建物１の場合、例えば、図４Ａの比較例に示すように、屋根３は、薄物材１４ｂ用のケラバカバー１２Ｂにおける、上面カバー部３１と外側カバー部３２とのコーナー部１２ａが制限斜線４２にギリギリ接するか、または、制限斜線４２よりも僅かに低くなるように設計されている。なお、図６Ａの比較例の場合には、屋根３は、破風包み部３４の中間部３４ａが制限斜線４２にギリギリ接するか、または、制限斜線４２よりも僅かに低くなるように設計されている。
【００２５】
そして、制限斜線４２は、土地の内側へ進むほど高くなって行く。そのため、下地桟部材１７の上面においては、外側よりも内側の方が制限斜線４２の位置が高くなる。そこで、図４（図５、図６）に示すように、下地桟部材１７の上面の内側の部分（内側部分）であれば、上方突出部４３を設けても、制限斜線４２に引っかからないようにすることができる。この場合、内側部分は、屋根面材１３の上に設置する屋根葺材１４の上面の位置（即ち、ほぼ屋根葺材上部カバー３３Ａが設置される位置）よりも制限斜線４２が高くなる部分とする。この実施の形態では、内側部分は、概ね下地桟部材１７の上面のほぼ半部などとなっている。
【００２６】
上方突出部４３は、単一の下地桟部材１７に対して直接形成することができるが、この実施の形態では、下地桟部材１７を、側面視ほぼ矩形断面の第一桟部材５１と、第一桟部材５１の上に載置固定される第二桟部材５２とに分けて構成している。そして、第二桟部材５２を側面視ほぼＬ字断面などとすることにより、第二桟部材５２に上方突出部４３を設けるようにしている。第二桟部材５２は、第一桟部材５１とほぼ同様の幅寸法にするのが好ましい。また、第一桟部材５１と第二桟部材５２との外側面間に当て部材５３を設けて、両者の外側面の位置を上下方向に正確に揃えられるようにしても良い（図４）。この場合、第一桟部材５１を、例えば、樹脂木桟などとし、第二桟部材５２を、例えば、鋼製のケラバ１１受梁などとしているが、第一桟部材５１や第二桟部材５２の構成は、これに限るものではない。
【００２７】
なお、図６に示すように、側面視ほぼ矩形断面の第一桟部材５１の上に、上方突出部４３の大きさ（幅および高さ）に形成した小型の第二桟部材５２を載置固定することで、下地桟部材１７に、下地桟部材１７よりも幅の狭い上方突出部４３を形成するようにしても良い。第一桟部材５１や第二桟部材５２を、鋼製などとする場合には、第一桟部材５１や第二桟部材５２は中空の閉断面のものとしても開断面のものとしても良い。この実施の形態では、いずれも第二桟部材５２を中空の開断面のものとしている。
【００２８】
段差形状部４４は、段差形状をした部分のことである。外側に位置する段下面４６は、既存のケラバカバー１２Ｂの上面カバー部３１とほぼ同じ高さの平坦面とされる。段下面４６と外側カバー部３２とによって形成されるコーナー部１２ａは、制限斜線４２に対してギリギリ接するか、または、制限斜線４２よりも僅かに低くなるように形成される。内側に位置する段上面４７は、制限斜線４２の下側に収まる高さの平坦面とされる。段下面４６と段上面４７との間には、上方突出部４３の外側の位置にほぼ沿ったほぼ垂直な段差面４８が形成される。段上面４７と段差面４８とによって形成されるコーナー部１２ｂは、制限斜線４２に対してギリギリ接するか、または、制限斜線４２よりも僅かに低くなるように形成される。
【００２９】
既存のケラバカバー１２Ｂでは、屋根葺材上部カバー３３は、この実施の形態のケラバカバー１２Ａの段下面４６の高さよりも低い位置に設けられるのに対し、この実施の形態のケラバカバー１２Ａでは、屋根葺材上部カバー３３Ａを、段下面４６よりは高く、段上面４７よりも低い位置に設けることで、既存の屋根葺材上部カバー３３よりも高い位置に設置できるようにしている。この屋根葺材上部カバー３３Ａにより、新規のケラバカバー１２Ａは、既存の屋根葺材１４（薄物材１４ｂ）よりも厚みのある新規の屋根葺材１４（例えば、厚物瓦などの厚物材１４ａ）に対して用いることが可能になる。新規の屋根葺材１４は、強度や耐久性を向上するために既存の屋根葺材１４よりも十分に厚肉に形成される。この実施の形態の屋根葺材上部カバー３３Ａの高さは、新規の屋根葺材１４（例えば、厚物瓦などの厚物材１４ａ）の上面に合わせた位置に形成される。なお、厚物材１４ａは、上記した薄物材１４ｂに対する相対的な名称である。
【００３０】
（２）図１に示すように、屋根３を、上側の棟７と下側の棟８とによって形成される棟違い部６１を備えたものとしても良い。
図２に示すように、下側の棟８には、山型の棟包み部材６２が取付けられる。
そして、上側の棟７から下側の棟８へ向う棟違い部６１のケラバ１１Ａに取付けられるケラバカバー１２Ａの上面カバー部３１は、段差形状部４４の段上面４７が山型の棟包み部材６２の一方の斜面部６３とほぼ面一に連なるように設けられても良い。
段差形状部４４の段下面４６は、山型の棟包み部材６２の他方の斜面部６４に対して下側の棟８よりも低い位置に合流されても良い（合流部分６５）。
段下面４６の、他方の斜面部６４との合流部分６５の近傍に、下側の棟８よりも高い位置６６から下側の棟８へ向けて、段下面４６の他の部分よりも緩い下り勾配で延びる排水用スロープ部６７を設けても良い。
【００３１】
ここで、屋根３に対し、上側の棟７と下側の棟８は、互いに平行な状態で形成される。そして、上側の棟７と下側の棟８とは、その高さと、横方向の位置とが異なるものとされる。
【００３２】
棟違い部６１を有する屋根３は、３つの傾斜した屋根部４〜６を有している。即ち、上側の棟７および下側の棟８の片側に位置する第一の屋根部４と、上側の棟７の他側に位置する第二の屋根部５、および、下側の棟８の他側に位置する第三の屋根部６である。
下側の棟８は、第一の屋根部４の面内の位置に設けられる。
【００３３】
下側の棟８に取付けられる山型の棟包み部材６２は、下側の棟８を共有する２つの屋根部４，６のそれぞれに沿った２つ斜面部６３，６４を有している。また、山型の棟包み部材６２は、２つ斜面部６３，６４の下縁部に、下方へ延びる短い立下部６２ａと、立下部６２ａの下縁部から屋根部４，６に沿って斜め下方へ延びる外広がりの脚部６２ｂとをそれぞれ有しても良い。この立下部６２ａおよび脚部６２ｂには、上記した捨水切３９と同様の機能を持たせることができる。
【００３４】
そして、上面カバー部３１の段上面４７と棟包み部材６２の一方の斜面部６３とがほぼ面一に設けられ、段下面４６が棟包み部材６２の他方の斜面部６４に下側の棟８よりも低い位置で合流されることで、段下面４６の、他方の斜面部６４との合流部分６５の周辺に谷状の凹み部６８が形成される。
【００３５】
すると、谷状の凹み部６８は雨水６９が溜まり易い箇所となるため、棟違い部６１ではケラバ１１Ａ内への雨水６９の侵入のおそれが生じる。そこで、谷状の凹み部６８をなくすために、段下面４６の、他方の斜面部６４との合流部分６５の周辺に排水用スロープ部６７を設置する。排水用スロープ部６７は、段下面４６の他の部分よりも緩い下り勾配を有して下側の棟８のほぼ頂部へ向かうものとされる。排水用スロープ部６７は、少なくとも、排水勾配となり得る程度の角度を有するものとされる。そのために、排水用スロープ部６７は、段下面４６における、下側の棟８よりも高い位置６６から開始されて、下側の棟８の位置で終了されるものとなる（高低差ｈ、図３）。
【００３６】
（３）ケラバカバー１２Ａは、図７に示すように、外側カバー部３２と、段差形状部４４の段下面４６とが、第一の部材７１によって構成されても良い。
また、ケラバカバー１２Ａは、図８に示すように、段差形状部４４の段上面４７と、屋根葺材上部カバー３３Ａとが、第二の部材７２によって構成されても良い。
【００３７】
ここで、ケラバカバー１２Ａは、１つの部材で構成しても良いが、複数の部材で構成することができる。この実施の形態では、ケラバカバー１２Ａを、少なくとも２つの部材に分割して設けている。
【００３８】
第一の部材７１は、交換用のケラバカバー１２Ａにとって基本となる部材である（基本部材）。第一の部材７１は、フッ素鋼板などの金属製の板などで形成することができる。フッ素鋼板は、耐久性の高いガルバリウム鋼板（登録商標）にフッ素樹脂塗料を焼付け塗装した鋼板である。 
【００３９】
第一の部材７１は、図９に示すように、外側カバー部３２と段下面４６の他に、上方突出部４３の側面（段差部分）に当接固定可能な固定面７３を一体に有しても良い。固定面７３は、段差面４８の内側に設置される。第一の部材７１は、固定面７３などを、上方突出部４３の側面にスクリューや釘などの固定部材７４で横からほぼ面直方向に取付けられる。
【００４０】
第二の部材７２は、交換用のケラバカバー１２Ａにとって厚物材１４ａの屋根葺材１４を取付けられるように拡張するための部材である（拡張部材）。第二の部材７２は、フッ素鋼板などの金属製の板などで形成することができる。
【００４１】
第二の部材７２は、段上面４７と屋根葺材上部カバー３３Ａの他に、段差面４８や、段下面４６の上側に当接配置可能な段下当接部７６や、縦面部３３ａなどを有するようにしても良い。第二の部材７２は、段上面４７や段差面４８などを上方突出部４３の上面や側面などにスクリューや釘などの固定部材７４で横や上からほぼ面直方向に取付けられる。
【００４２】
そして、ケラバ１１に沿って第一の部材７１が先に下地桟部材１７に取付けられ、後から第二の部材７２が第一の部材７１の上に、第一の部材７１と平行に取付けられることで、第一の部材７１と第二の部材７２とが組み合わされて、この実施の形態のケラバカバー１２Ａとなる。なお、第一の部材７１や第二の部材７２の端部、例えば、下端部などには、端部固定部７１ａ，７２ａなどを適宜設けることができる。
【００４３】
（４）図１０に示すように、ケラバカバー１２Ａでは、排水用スロープ部６７が、第三の部材８１によって構成されても良い。
【００４４】
ここで、第三の部材８１は、排水用スロープ部６７を形成するための部材である（スロープ形成部材）。第三の部材８１は、フッ素鋼板などの金属製の板などで形成することができる。第三の部材８１は、最低限、段下面４６の上に設置して排水用スロープ部６７を形成する緩い下り勾配の斜面を有していれば良いが、排水用スロープ部６７の外側面から下方へ屈曲して外側カバー部３２に達する、または、外側カバー部３２を覆う、側面カバー部８２（図１１）を一体に有するのが好ましい。
【００４５】
但し、第三の部材８１の形状は、これに限るものではなく、例えば、上端側に段下面４６などに対する重ね代を備えたり、内側部に段差面４８などに対する重ね代を備えたり、下端部に、棟包み部材６２などに対する重ね代を備えたりしても良い。第三の部材８１は、設置後に周縁部などをシーリング材８５などによって適宜シールされる。
【００４６】
＜作用＞以下、この実施の形態の作用について説明する。
例えば、図４Ａ（図５Ａ、図６Ａ）のような既存の屋根３に対して、屋根葺材１４の葺き替えを行う場合、既存のケラバカバー１２Ｂと屋根葺材１４と下地桟部材１７を取り外す。そして、下地桟部材１７を、上方突出部４３を有する新たなもの（第一桟部材５１および第二桟部材５２）に取り替える。新たな屋根葺材１４を屋根面材１３の上に設置して、新たな下地桟部材１７に新たなケラバカバー１２Ａを取付けることで、図４（図５、図６）ような屋根３となる。
【００４７】
この際、屋根葺材１４は、薄物材１４ｂから厚物材１４ａに葺き替えられる。建物１では、屋根葺材１４に薄物材１４ｂを用いることを前提として既存の屋根３が設計されているため、屋根葺材１４を、単純に薄物材１４ｂから厚物材１４ａに葺き替えるだけだと、建物１に対する制限斜線４２を越えてしまうことになる。そこで、この実施の形態のケラバカバー１２Ａを用いるようにする。これにより、厚物材１４ａに葺き替えても制限斜線４２を越えないようにすることができる。
【００４８】
＜効果＞この実施の形態によれば、以下のような効果を得ることができる。
【００４９】
（効果１）ケラバカバー１２Ａは、少なくとも、上面カバー部３１と外側カバー部３２と屋根葺材上部カバー３３Ａとを備えたものとされる。上面カバー部３１は、屋根３を構成する屋根面材１３のケラバ１１となる縁部に沿って設けられた下地桟部材１７の上面を覆う。外側カバー部３２は、下地桟部材１７の外側部を覆う。屋根葺材上部カバー３３Ａは、屋根面材１３の上部に設置された屋根葺材１４における下地桟部材１７の内側面と近接する端部を上から覆う。
【００５０】
そして、屋根葺材１４を、薄物材１４ｂから厚物材１４ａ（例えば、厚物瓦など）へ葺き直しする場合に、制限斜線４２を越えないようにする必要がある。
【００５１】
そこで、下地桟部材１７の上面の内側部分に対して、制限斜線４２内に収まる高さの上方突出部４３を設けるようにする。そして、上面カバー部３１を、上方突出部４３を覆う段差形状部４４を有するものにする。更に、屋根葺材上部カバー３３Ａを、段差形状部４４の段下面４６より高く、段上面４７より低い位置に設けるようにする。屋根葺材１４には、屋根葺材上部カバー３３Ａと同じ高さのものを使用することができる。これにより、薄物材１４ｂを前提として設計された建物１であっても、制限斜線４２を越えないようにしつつ、薄物材１４ｂから厚物材１４ａへの屋根葺材１４の葺き直しを行うことが可能になる。
【００５２】
（効果２）屋根３が上側の棟７と下側の棟８とによって形成される棟違い部６１を有する場合に、上面カバー部３１に段差形状部４４を有するケラバカバー１２Ａを使用すると、構造的に、段差形状部４４の段上面４７が山型の棟包み部材６２の一方の斜面部６３と面一に連なるように設置されることになる。これにより、段下面４６は、山型の棟包み部材６２の他方の斜面部６４に対して下側の棟８よりも低い位置で合流されることになる（合流部分６５）。すると、段下面４６と他方の斜面部６４との合流部分６５が谷状に凹んだ凹み部６８となってしまい、谷状の合流部分６５に雨水６９が滞留するおそれなどが生じる。
【００５３】
そこで、合流部分６５の近傍に、下側の棟８よりも高い位置６６から下側の棟８へ向けて、段下面４６よりも緩い下り勾配で延びる排水用スロープ部６７を設けても良い。これにより、合流部分６５の近傍に設けた排水用スロープ部６７によって谷状の凹み部６８を上から塞ぐことができ、排水用スロープ部６７が雨水６９の排水経路になる。そのため、段下面４６を流下した雨水６９は、排水用スロープ部６７に沿って下側の棟８の頂部に達し、更に、山型の棟包み部材６２の一方の斜面部６３へと導かれて、段上面４７を流下した雨水６９と合流し、共に第一の屋根部４を流下されることになる。よって、棟違い部６１におけるケラバ１１内への雨水６９の侵入を抑制したり最小限に抑えたりすることができる。
【００５４】
（効果３）外側カバー部３２と、段差形状部４４の段下面４６とを、第一の部材７１によって構成し、段差形状部４４の段上面４７と、屋根葺材上部カバー３３Ａとを、第二の部材７２によって構成しても良い。これにより、ケラバカバー１２Ａを、その形状や機能に合った最適な構造に分割して、施工し易いものとすることができる。
【００５５】
（効果４）排水用スロープ部６７は、第三の部材８１によって構成しても良い。これにより、排水用スロープ部６７が第一の部材７１および第二の部材７２とは別の第三の部材８１で形成されることで、第一の部材７１および第二の部材７２に影響を与えることなく、排水用スロープ部６７を作ることができると共に、第三の部材８１を小型で取扱い易い部材にできる。そして、第三の部材８１は棟違い部６１の棟包み部材６２と段下面４６との合流部分６５の周辺に取付けるだけで良いため、簡単に排水用スロープ部６７を設置できる。
【００５６】
（その他）上記ケラバカバー１２Ａを備えた屋根３および建物１は、上記ケラバカバー１２Ａと同様の作用効果を得ることができる。
【符号の説明】
【００５７】
３      屋根
７      上側の棟
８      下側の棟
１１    ケラバ
１２    ケラバカバー
１２Ａ  ケラバカバー
１３    屋根面材
１４    屋根葺材
１７    下地桟部材
３１    上面カバー部
３２    外側カバー部
３３Ａ  屋根葺材上部カバー
４２    制限斜線
４３    上方突出部
４４    段差形状部
４６    段下面
４７    段上面
６１    棟違い部
６２    棟包み部材
６３    一方の斜面部
６４    他方の斜面部
６５    合流部分
６６    高い位置
６７    排水用スロープ部
７１    第一の部材
７２    第二の部材
８１    第三の部材
【図１】
2020051100.tif 000003
【図２】
2020051100.tif 000004
【図３】
2020051100.tif 000005
【図３Ａ】
2020051100.tif 000006
【図３Ｂ】
2020051100.tif 000007
【図４】
2020051100.tif 000008
【図４Ａ】
2020051100.tif 000009
【図５】
2020051100.tif 000010
【図５Ａ】
2020051100.tif 000011
【図６】
2020051100.tif 000012
【図６Ａ】
2020051100.tif 000013
【図７】
2020051100.tif 000014
【図８】
2020051100.tif 000015
【図９】
2020051100.tif 000016
【図１０】
2020051100.tif 000017
【図１１】
2020051100.tif 000018